(57)【要約】【課題】金網素体間を任意の角度で容易に結合することが可能であり、必要部品数も削減できて外観向上にも寄与する構造の金網フェンスを提供する。【解決手段】金網フェンスの設置面にベースプレート１を固定する。ベースプレート１上に支柱２を固定する。金網素体３Ａ〜３Ｃの両端に環状部４ａを形成する。金網素体３Ａ，３Ｃ同士を結合する部分は、ベースプレート１上に２本の支柱２，２を固定する。そして結合されるべき一方の金網素体３Ａの一端の環状部４ａを一方の支柱２に回動可能に嵌合し、他方の金網素体３Ｃの一端の環状部４ａを他方の支柱２に回動可能に嵌合する。【選択図】図１
2010203076.tif 000002
【特許請求の範囲】
【請求項１】
複数の縦棒、横棒を互いに溶接することにより構成され、横棒の両端に横棒を曲成して形成した環状部を有する金網素体と、
金網フェンスの設置面に固定されるベースプレートと、
前記ベースプレートに固定されると共に、前記金網素体の端部の環状部が回動可能に嵌合される支柱とを備え、
前記金網素体同士を結合する部分は、ベースプレート上に２本の支柱を固定し、結合されるべき一方の金網素体の一端の環状部を２本の支柱のうちの一方の支柱に回動可能に嵌合し、他方の金網素体の一端の環状部を他方の支柱に回動可能に嵌合して構成したことを特徴とする金網フェンス。
【請求項２】
請求項１に記載の金網フェンスにおいて、前記ベースプレートを、前記設置面にねじにより着脱可能に取付けたことを特徴とする金網フェンス。
【請求項３】
請求項１または２に記載の金網フェンスにおいて、前記ベースプレート上に固定される２本の支柱の上部にそれぞれ設けた貫通孔と、前記貫通孔に挿通するねじロッドと、このねじロッドに螺合、締結して前記２本の支柱間を結合するナットとを備えたことを特徴とする金網フェンス。
【請求項４】
請求項１から３までのいずれか１項に記載の金網フェンスにおいて、さらに、扉用金網素体を備え、
前記扉用金網素体は、その一端側に形成され、前記支柱に回動可能に嵌合される枢着側環状部と、
前記枢着側環状部の反対側の自由端側環状部と、
前記自由端側環状部の下端部に取付けられたキャスターと、
前記自由端側環状部の上端部、および前記自由端側環状部に隣接する金網素体の一端の環状部にそれぞれ着脱可能に嵌合する２つの嵌合体を有する結合具とを備えたことを特徴とする金網フェンス。
【請求項５】
請求項１から４までのいずれか１項に記載の金網フェンスにおいて、さらに、前記横棒が平面視上で弧状に曲成された金網素体を備えたことを特徴とする金網フェンス。
【発明の詳細な説明】
【技術分野】
【０００１】
本発明は、金網を用いたフェンスに係わり、特に敷地内において、ペットの行動範囲を制限する場合に好適なフェンスに関する。
【背景技術】
【０００２】
金網フェンスとして、特許文献１には、縦横の棒を溶接することにより金網素体を構成し、各金網素体の上胴縁、下胴縁の両端に端部金具を固定し、前記端部金具間に中継金具を介在させて端部金具と中継金具とを互いにボルト、ナットにより結合すると共に、この中継金具を支柱にボルト、ナットにより固定して金網フェンスを施工する構造のものが開示されている。
【先行技術文献】
【特許文献】
【０００３】
【特許文献１】特開２００７−２３９３０８
【発明の概要】
【発明が解決しようとする課題】
【０００４】
従来の金網フェンスにおける金網素体の支柱に対する固定は、前述のように、中継金具を支柱にボルト、ナットによって固定することにより行なっている。このため、金網素体同士を平面視が互いに任意の角度に傾斜した角度となるように結合するには、それぞれの角度に応じた特殊な中継金具を必要とし、施工現場に適合した任意の角度をなすように施工することが困難であるという問題点がある。また、金網素体同士を結合して支柱に固定するため、端部金具と中継金具とが必要となり、部品点数が多くなる上、支柱への結合部分における金具やボルト、ナットの本数が多くなり、外観を劣化させるという問題点がある。
【０００５】
本発明は、上記した事情に鑑み、金網素体間を任意の角度で容易に結合することが可能となり、必要部品数も削減できて外観向上にも寄与する構造の金網フェンスを提供することを目的とする。また、本発明の他の目的は、設置個所の変更が容易に行なえる構成の金網フェンスを提供することにある。
【課題を解決するための手段】
【０００６】
請求項１の金網フェンスは、複数の縦棒、横棒を互いに溶接することにより構成され、横棒の両端に横棒を曲成して形成した環状部を有する金網素体と、
金網フェンスの設置面に固定されるベースプレートと、
前記ベースプレートに固定されると共に、前記金網素体の端部の環状部が回動可能に嵌合される支柱とを備え、
前記金網素体同士を結合する部分は、ベースプレート上に２本の支柱を固定し、結合されるべき一方の金網素体の一端の環状部を２本の支柱のうちの一方の支柱に回動可能に嵌合し、他方の金網素体の一端の環状部を他方の支柱に回動可能に嵌合して構成したことを特徴とする。
【０００７】
請求項２の金網フェンスは、請求項１に記載の金網フェンスにおいて、前記ベースプレートを、前記設置面にねじにより着脱可能に取付けたことを特徴とする。
【０００８】
請求項３の金網フェンスは、請求項１または２に記載の金網フェンスにおいて、前記ベースプレート上に固定される２本の支柱の上部にそれぞれ設けた貫通孔と、前記貫通孔に挿通するねじロッドと、このねじロッドに螺合、締結して前記２本の支柱間を結合するナットとを備えたことを特徴とする。
【０００９】
請求項４の金網フェンスは、請求項１から３までのいずれか１項に記載の金網フェンスにおいて、さらに、扉用金網素体を備え、
前記扉用金網素体は、その一端側に形成され、前記支柱に回動可能に嵌合される枢着側環状部と、
前記枢着側環状部の反対側の自由端側環状部と、
前記自由端側環状部の下端部に取付けられたキャスターと、
前記自由端側環状部の上端部、および前記自由端側環状部に隣接する金網素体の一端の環状部にそれぞれ着脱可能に嵌合する２つの嵌合体を有する結合具とを備えたことを特徴とする。
【００１０】
請求項５の金網フェンスは、請求項１から４までのいずれか１項に記載の金網フェンスにおいて、さらに、前記横棒が平面視上で弧状に曲成された金網素体を備えたことを特徴とする。
【発明の効果】
【００１１】
請求項１の発明においては、金網素体同士の結合部分は、ベースプレート上に２本の支柱を固定し、結合されるべき一方の金網素体の一端の環状部を２本の支柱のうちの一方の支柱に回動可能に嵌合し、他方の金網素体の一端の環状部を他方の支柱に回動可能に嵌合して構成したので、平面視において、金網素体同士が任意の角度で結合するように容易に施工することができる。
【００１２】
また、金網素体の支柱への固定は、金網素体の端部の環状部を支柱に嵌合することにより行われるので、支柱に金網素体を結合するための金具が不要となり、部品点数が削減できる。また、金網素体の支柱への結合部分における金具やボルト、ナットが不要となるので、外観を向上させることができる。
【００１３】
請求項２の発明は、ベースプレートを、ねじにより設置面（テラス、ガーデン等）に着脱可能に取付ける構造であるため、ねじを外すことにより、ベースプレートの位置を変更して容易に移設することができる。
【００１４】
請求項３の発明においては、隣接する支柱同士をねじロッドとナットにより締結したので、支柱同士のがたつきを防止し、金網フェンスとしての強度を高めることができる。
【００１５】
請求項４の発明においては、扉用金網素体の自由端側環状部と隣接する金網素体の環状部に結合具の対応する嵌合部を着脱可能に嵌合することにより、扉用金網素体の固定と開放が可能となるようにしたので、扉用金網素体の固定、開放が容易に行なえる。また、金網素体の端部の環状部を扉用金網素体の固定にそのまま用いるようにしたので、扉用金網素体の固定のための特別の金具を取付ける必要がない。また、自由端側環状部の下部にキャスターを設けたので、扉用金網素体の開閉が容易に行えると共に、枢着側支柱とベースプレートとの結合部にかかる扉用金網素体の荷重が軽減され、結合部の損傷を防止することができる。
【００１６】
請求項５の発明においては、金網素体として、平面視が弧状に曲成されたものを備えたので、コーナー部を構成する部分を１つの金網素体によって構成することができ、現場の状況への対応が容易となる上、金網素体、ベースプレートおよび支柱の数を削減することができる。また、犬などのペットは角ばったコーナー部によりストレスを受けることが報告されているが、コーナー部を弧状に形成することにより、このストレスを緩和することができ、ペット用のフェンスとして好適なものが提供できる。
【図面の簡単な説明】
【００１７】
【図１】本発明の金網フェンスの一実施の形態を示す斜視図である。
【図２】図１の金網フェンスの一部を分離して示す斜視図である。
【図３】本実施の形態の金網素体の端部の環状部を示す斜視図である。
【図４】本実施の形態のベースプレートの固定構造の一例を示す斜視図である。
【図５】本実施の形態のベースプレートに対する支柱の固定構造の一例を示す斜視図である。
【図６】（Ａ）は本実施の形態の扉の結合具の把手のプレートに対する固定構造の一例を示す斜視図、（Ｂ）はこのプレートに対する嵌合体の取付け構造の一例を示す斜視図である。
【図７】（Ａ）は本実施の形態の扉に取付けるキャスターのプレートに対する固定構造の一例を示す斜視図、（Ｂ）はこのプレートに対する嵌合体の取付け構造の一例を示す斜視図である。
【図８】本発明の金網フェンスの他の実施の形態を示す斜視図である。
【図９】本発明の金網フェンスにおける支柱連結部の構造の一例を示す斜視図である。
【発明を実施するための形態】
【００１８】
図１は本発明による金網フェンスの一実施の形態を示す斜視図、図２はその一部を分解して示す斜視図である。図１、図２において、１はテラス、ガーデン、濡れ縁等に固定するベースプレートとである。２，２Ａはベースプレート１上に固定する筒形の支柱である。３Ａ，３Ｂ，３Ｃはそれぞれ金網素体であり、このうち３Ａは標準形の金網素体、３Ｂは平面視が弧状に曲成された金網素体、３Ｃは扉用の金網素体である。これらの金網素体３Ａ〜３Ｃはいずれも、図３に示すように、鉄製の横棒４および縦棒５を溶接して作成されたものである。横棒４の両端には環状部４ａを形成する。環状部４ａはこの環状部４ａに溶接した複数本の縦棒５により補強される。図１、図２において、１２は支柱２の上端にかしめ付けまたは溶接により固定したキャップである。
【００１９】
図４はベースプレート１の設置面６に対する固定構造の一例を示す図である。この例では設置面６がコンクリート製のものである例を示している。この例においては、設置面６に孔７を穿設し、この孔７に樹脂製のプラグ８を埋め込み、ベースプレート１に設けた孔１ａにねじ９を挿通してプラグ８にねじ込むことにより、ベースプレート１が設置面６に固定される。この構造ではねじ９を緩めて外すことにより、ベースプレート１の移設が可能である。なおプラグ８の代わりにナットを用いてもよい。
【００２０】
図５はベースプレート１に対する支柱２の固定構造の一例を示す。この例の固定構造は、筒形をなす支柱２の底面に金属製の蓋１０を溶接やかしめ付け等により固定し、ベースプレート１に設けた孔１ｂに挿通したねじ１１を蓋１０に設けたねじ孔１０ａにねじ込むことにより、ベースプレート１に支柱２を固定している。なお、ベースプレート１に対する支柱２の固定は溶接により行なってもよい。
【００２１】
図１、図２に示すように、金網素体３Ａは、これが端部に設置する金網素体である場合には、ベースプレート１に１本の支柱２を設け、金網素体３Ａの一端のその両端の環状部４ａを支柱２に嵌合して取付ける。金網素体３Ａを他の金網素体３Ｃに組み合わせる場合は、ベースプレート１に２本の支柱２，２を固定し、一方の金網素体３Ａの端部の環状部４ａを一方の支柱２に回動可能に嵌合し、他方の金網素体３Ｃの一端の環状部４ａを他方の支柱２に回動可能に嵌合する。したがって、金網素体３Ａ、３Ｃ間は平面視が任意の角度となるように組み合わせることができる。この例では標準形の金網素体３Ａが扉用の金網素体３Ｃに組み合わされる例について示しているが、金網フェンスの長さに応じて標準形の金網素体３Ａは必要数だけ組み合わせて連結するものであり、この標準形の金網素体３Ａ同士を組み合わせる場合も図１、図２に示したように、１枚のベースプレート１に２本の支柱２を設けて２枚の金網素体３Ａ間を任意の角度で組み合わせる。
【００２２】
一方、扉用の金網素体３Ｃは、枢着側の環状部４ａを一方のベースプレート１の支柱２に回動可能に嵌合する。この枢着側の環状部４ａを嵌合する支柱２は、端部のベースプレート１に固定された支柱でもよい。金網素体３Ｃの自由端側の環状部４ａは支柱２に嵌合せず、その環状部４ａの下端にキャスター１３を取付ける。また、この金網素体３Ｃと、隣接する固定の金網素体３Ｂ（標準形の金網素体３Ａでもよい。）とを仮止めするため、各金網素体３Ｂ，３Ｃの環状部４ａの上端にそれぞれ嵌合する嵌合体１４を有する結合具１５を備える。この扉用の金網素体３Ｃに隣接する金網素体３Ｂの金網素体３Ｃ側支柱２Ａは、他の支柱２よりも長さを短くする。そして、この支柱２Ａを短くすることにより、この支柱２Ａに嵌める環状部４ａの上部に、嵌合部１４を嵌めるスペースを設ける。
【００２３】
図６（Ａ）、（Ｂ）は結合具１５の構造の一例を示す。この例の結合具１５は、プレート１６と嵌合体１４と把手１７とからなる。把手１７はコ字形をなし、プレート１６に設けた孔１６ａにねじ１８を挿通して把手１７に設けた孔（またはねじ孔）１７ａに切り込み（またはねじ込む）ことによりプレート１６上に固定する。２個の嵌合体１４は、プレート１６に設けた孔１６ｂに上方から挿通するねじ１９を、プレート１６の下面に当てた嵌合体１４の孔（またはねじ孔）１４ａに切り込む（またはねじ込む）ことにより、プレート１６の下面に固定する。なお、嵌合体１４、プレート１６、把手１７のうちの２個または全部を一体に成形してもよい。
【００２４】
図７（Ａ）、（Ｂ）はキャスター１３の構造の一例を示す。この例のキャスター１３は、プレート２０と２個のキャスター本体２１と嵌合体２２とからなる。キャスター本体２１は上面に取付け用フランジ２１ａを有し、そのフランジ２１ａの４隅に孔２１ｂを設けたものである。このキャスター本体２１は、取付け用のねじ２３をプレート２０に設けた孔２０ａとフランジ２１ａの孔２１ｂに通してナット２４に螺合し締結することにより、プレート２０に固定される。嵌合体２２は扉用の金網素体３Ｃの環状部４ａの下端に嵌合して取付けるものである。この嵌合体２２はプレート２０の上面に載せ、ねじ２５をプレート２０に設けた孔２０ｂに挿通し、嵌合体２２に下面より設けた孔（またはねじ孔）２２ａに切り込む（またはねじ込む）ことにより、プレート２０の上面に固定する。
【００２５】
この扉用の金網素体３Ｃは、これを閉じる際には、この金網素体３Ｃの自由端側環状部４ａの上端部と、隣接する金網素体３Ｂの端部の環状部４ａの上端部とに結合具１５の嵌合体１４，１４をそれぞれ嵌合して両金網素体３Ｂ，３Ｃ同士を結合しておく。この扉用金網素体３Ｃを開放する際には、把手１７を持って結合具１５を上方に引き上げ、嵌合体１４を両金網素体３Ｂ，３Ｃの環状部４ａから引き抜くことにより、両金網素体３Ｂ，３Ｃ同士の結合を解き、金網素体３Ｃはキャスター１３を設置面上で転動させながら、その枢着側端部の支柱２を中心に回動可能とする。
【００２６】
図８はこの金網フェンスを木製のテラスや濡れ縁２８に固定した例を示す。この場合は設置面６に孔７を設ける必要はなく、ねじ９により設置面である木製の板材に直接固定することができる。
【００２７】
図９はこの金網フェンスを補強するために、金網素体同士を結合するためのベースプレート１上に固定される２本の支柱２，２を締結する手段２９を設けたものである。この締結手段２９は、図１、図２にも略示され、支柱２の上部にそれぞれ設けた貫通孔２ａと、これらの貫通孔２ａ，２ａに挿通するねじロッド３０と、このねじロッド３０に螺合、締結して２本の支柱２，２間を結合するナット３１とからなる。
【００２８】
この実施の形態の金網フェンスは、金網素体３Ａ，３Ｃ（または３Ａ、３Ｂ）同士の結合部分を、ベースプレート１上に２本の支柱２，２を固定し、結合されるべき一方の金網素体３Ａの一端の環状部４ａを２本の支柱２，２のうちの一方の支柱２に回動可能に嵌合し、他方の金網素体３Ｃ（または３Ａ、３Ｂ）の一端の環状部４ａを他方の支柱２に回動可能に嵌合して構成したので、平面視において、金網素体同士が任意の角度で結合するように容易に施工することができる。
【００２９】
また、金網素体３Ａ〜３Ｃの支柱２への固定は、金網素体３Ａ〜３Ｃの端部の環状部４ａを支柱２に嵌合することにより行われるので、支柱２に金網素体３Ａ〜３Ｃを結合するための金具が不要となり、部品点数が削減できる。また、金網素体３Ａ〜３Ｃの支柱２への結合部分における金具やボルト、ナットが不要となるので、外観を向上させることができる。
【００３０】
また、上記実施の形態においては、ベースプレート１を、ねじ９により設置面６に着脱可能に取付ける構造であるため、ねじ９を外すことにより、ベースプレート１の位置を変更して容易に移設することができる。
【００３１】
また、上記実施の形態においては、隣接する支柱２，２同士をねじロッド３０とナット３１からなる締結手段２９により締結したので、支柱２，２同士のがたつきを防止し、金網フェンスとしての強度を高めることができる。
【００３２】
また、上記実施の形態においては、扉用金網素体３Ｃの自由端側環状部４ａと隣接する金網素体３Ｂの環状部４ａに、結合具１５の対応する嵌合体１４，１４を着脱可能に嵌合することにより、扉用金網素体３Ｃの固定と開放が可能となるようにしたので、扉用金網素体３Ｃの固定、開放が容易に行なえる。
【００３３】
また、金網素体３Ｃの端部の環状部４ａを扉用金網素体３Ｃの固定にそのまま用いるようにしたので、扉用金網素体３Ｃの固定のための特別の金具を取付ける必要がなく、い。
【００３４】
また、自由端側環状部の下部にキャスター１３を設けたので、扉用金網素体３Ｃの開閉が容易に行えると共に、枢着側支柱２とベースプレート１との結合部にかかる扉用金網素体３Ｃの荷重が軽減され、結合部の損傷を防止することができる。
【００３５】
また、上記実施の形態においては、キャスター１３として、２個のキャスター本体２１を備えたものを用いたので、扉用金網素体３Ｃの支持が安定して行なわれ、扉用金網素体３Ｃの円滑な開閉が可能となる。
【００３６】
また、上記実施の形態においては、平面視が弧状に曲成された金網素体３Ｂを備えたので、コーナー部を構成する部分を１つの金網素体３Ｂによって構成することができ、現場の状況への対応が容易となる。また、コーナー部を構成するために、２本の金網素体３Ａを用いることが不要となり、金網素体３Ａ、ベースプレート１および支柱２の数を削減することができる。また、コーナー部を弧状に形成することにより、犬等のペットに与えるストレスを緩和することができ、ペット用のフェンスとして好適なものが提供できる。
【符号の説明】
【００３７】
１： ベースプレート、２，２Ａ：支柱、３Ａ〜３Ｃ：金網素体、４：横棒、４ａ：環状部、５：縦棒、６：設置面、７：孔、８：プラグ、９：ねじ、１０：蓋、１１：ねじ、１２：キャップ、１３：キャスター、１４：嵌合体、１５：結合具、１７：把手、２２：嵌合体、２９：締結手段、３０：ねじロッド、３１：ナット
【図１】
2010203076.tif 000003
【図２】
2010203076.tif 000004
【図３】
2010203076.tif 000005
【図４】
2010203076.tif 000006
【図５】
2010203076.tif 000007
【図６】
2010203076.tif 000008
【図７】
2010203076.tif 000009
【図８】
2010203076.tif 000010
【図９】
2010203076.tif 000011